(57)【要約】【課題】ネットワーク側からの信号を迅速に受信しながら、無線端末の省電力を実現することができる技術を提供すること。【解決手段】本発明は、データの送受信を行う通信処理手段と、通信処理手段が第１の周期よりも長い周期の第２の周期の間欠受信の動作中、第２の周期の非受信期間の所定のタイミングで受信を開始し、任意の回数の受信を前記通信処理手段に行わせる通信制御手段とを有する無線端末である。【選択図】図１
2018110275.tif 000002
【特許請求の範囲】
【請求項１】
データの送受信を行う通信処理手段と、
前記通信処理手段が第１の周期よりも長い周期の第２の周期の間欠受信の動作中、前記第２の周期の非受信期間の所定のタイミングで受信を開始し、任意の回数の受信を前記通信処理手段に行わせる通信制御手段と
を有する無線端末。
【請求項２】
前記通信制御手段は、前記第２の周期の非受信期間のうち前記第１の周期のタイミングで、前記通信処理手段にデータの受信動作を開始させる
請求項1に記載の無線端末。
【請求項３】
前記通信制御手段は、前記第１の周期で一定期間、データの受信動作を前記通信処理手段に行わせる
請求項１又は請求項２に記載の無線端末。
【請求項４】
前記通信制御手段は、データの受信動作の前後で、前記第２の周期の非受信期間が等しくなるようなタイミングで、一定期間、データの受信動作を前記通信処理手段に行わせる
請求項１から請求項３のいずれかに記載の無線端末。
【請求項５】
前記通信制御手段は、前記通信処理手段による前記第２の周期の非受信期間中に行われるデータの受信動作中に、データを受信した場合、前記通信処理手段の間欠受信の動作を、前記第２の周期から前記第１の周期に遷移させる
請求項１から請求項４のいずれかに記載の無線端末。
【請求項６】
前記制御手段は、前記通信処理手段による前記第２の周期の非受信期間中に行われるデータの受信動作後、前記第２の周期のタイミングを維持して間欠受信の動作を前記通信処理手段に行わせる
請求項1から請求項５のいずれかに記載の無線端末。
【請求項７】
前記制御手段は、前記通信処理手段による前記第２の周期の非受信期間中に行われるデータの受信動作後、前記第２の周期のタイミングをリセットして新たなタイミングで前記第２の周期の間欠受信の動作を前記通信処理手段に行わせる
請求項1から請求項５のいずれかに記載の無線端末。
【請求項８】
前記制御手段は、過去のデータ送受信の実績に基づいて、前記通信処理手段が前記第２の周期の間欠受信の動作中、前記第２の周期の非受信期間の所定のタイミングで、前記第２の周期よりも短い周期で一定期間、データの受信動作を行わせるかを判断する
請求項1から請求項７のいずれかに記載の無線端末。
【請求項９】
第１の周期よりも長い周期の第２の周期の間欠受信の動作中、前記第２の周期の非受信期間の所定のタイミングで受信を開始し、任意の回数の受信を行う
通信方法。
【請求項１０】
前記第２の周期の非受信期間のうち、前記第１の周期のタイミングで、前記データの受信動作を開始する
請求項９に記載の通信方法。
【請求項１１】
前記第２の周期の非受信期間のうち、前記第１の周期で一定期間、前記データの受信動作を行う
請求項９又は請求項１０に記載の通信方法。
【請求項１２】
前記データの受信動作の前後で、前記第２の周期の非受信期間が等しくなるようなタイミングで、一定期間、前記データの受信動作を行う
請求項９から請求項１１のいずれかに記載の通信方法。
【請求項１３】
前記第２の周期の非受信期間中に行われるデータの受信動作中に、データを受信した場合、前記第２の周期の間欠受信の動作を、前記第１の周期の間欠受信の動作に遷移させる
請求項９から請求項１２のいずれかに記載の通信方法。
【請求項１４】
前記第２の周期の非受信期間中に行われるデータの受信動作後、前記第２の周期のタイミングを維持して間欠受信の動作を行う
請求項９から請求項１３のいずれかに記載の通信方法。
【請求項１５】
前記第２の周期の非受信期間中に行われるデータの受信動作後、前記第２の周期のタイミングをリセットして新たなタイミングで前記第２の周期の間欠受信の動作を行う
請求項９から請求項１３のいずれかに記載の通信方法。
【請求項１６】
過去のデータ送受信の実績に基づいて、前記第２の周期の間欠受信の動作中、前記第２の周期の非受信期間の所定のタイミングで、前記第２の周期よりも短い周期で一定期間、データの受信動作を行わせるかを判断する
請求項９から請求項１５のいずれかに記載の通信方法。
【請求項１７】
データの送受信を行う通信処理手段が第１の周期よりも長い周期の第２の周期の間欠受信の動作中、前記第２の周期の非受信期間の所定のタイミングで受信を開始し、任意の回数の受信を前記通信処理手段に行わせる通信制御処理を
コンピュータに実行させるプログラム。
【発明の詳細な説明】
【技術分野】
【０００１】
本発明は、無線端末、通信方法及びプログラムに関する。
【背景技術】
【０００２】
次世代のセルラシステムの１つである３ＧＰＰ  ＬＴＥ（Ｌｏｎｇ  Ｔｅｒｍ  Ｅｖｏｌｕｔｉｏｎ）では、無線端末の消費電力の削減のため、無線端末の間欠受信（ＤＲＸ：Ｄｉｓｃｏｎｔｉｎｕｏｕｓ  Ｒｅｃｅｐｔｉｏｎ）の機能がサポートされている（非特許文献１、２）。ＬＴＥでは、ＤＲＸ  ｃｙｃｌｅと呼ばれる受信期間（Ｏｎ−Ｄｕｒａｔｉｏｎ）とそれに続く非受信期間（Ｏｐｐｏｒｔｕｎｉｔｙ  ｆｏｒ  ＤＲＸ）とから構成される期間が定義され、これらの期間を繰り返すことでＤＲＸを実現する。
【０００３】
無線端末は、Ｏｎ−ｄｕｒａｔｉｏｎでは下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を常に受信する必要があり、Ｏｐｐｏｒｔｕｎｉｔｙ  ｆｏｒ  ＤＲＸではＰＤＣＣＨを受信しなくてよい。なお、無線端末がＯｎ−Ｄｕｒａｔｉｏｎ期間中にデータ受信に失敗し、Ｏｎ−Ｄｕｒａｔｉｏｎ期間以降に当該データが再送される場合には、ＰＤＣＣＨを受信する期間を延長する。
【０００４】
ここで、ＤＲＸ動作中の無線端末がＰＤＣＣＨを受信する期間をＡｃｔｉｖｅ  Ｔｉｍｅと呼び、Ｏｎ−ＤｕｒａｔｉｏｎはＡｃｔｉｖｅ  Ｔｉｍｅの最小値である。さらに無線端末毎に、Ｏｐｐｏｒｔｕｎｉｔｙ  ｆｏｒ  ＤＲＸの長さが異なる「ＳｈｏｒｔＤＲＸ」と「ＬｏｎｇＤＲＸ」という２つのＤＲＸ状態（レベル）が設定可能である。ＬＴＥでは、ＳｈｏｒｔＤＲＸ状態の無線端末が一定期間データ受信を行わなかった場合、ＬｏｎｇＤＲＸ状態に遷移するＤＲＸ状態制御（ＤＲＸ  ｓｔａｔｅ  ｃｏｎｔｒｏｌ）を行う。また、ＳｈｏｒｔＤＲＸからＬｏｎｇＤＲＸに状態遷移する判定に、タイマー（ｄｒｘＳｈｏｒｔＣｙｃｌｅＴｉｍｅｒ）を用いる。これにより、無線端末のデータ受信頻度に適したＤＲＸ状態（レベル）を設定でき、無線端末の消費電力の削減が可能になる。
【先行技術文献】
【非特許文献】
【０００５】
【非特許文献１】３ＧＰＰ  ＴＳ３６．３００ｖ９００（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献２】３ＧＰＰ  ＴＳ３６．３２１ｖ８６０（インターネット＜ＵＲＬ＞ｈｔｔｐ：ｗｗｗ．３ｇｐｐ．ｏｒｇ／ｆｔｐ／Ｓｐｅｃｓ／ｈｔｍｌ−ｉｎｆｏ／３６３２１．ｈｔｍ）
【発明の概要】
【発明が解決しようとする課題】
【０００６】
しかし、ＬｏｎｇＤＲＸのように、Ａｃｔｉｖｅ  ＴｉｍｅとＡｃｔｉｖｅ  Ｔｉｍｅとの間が長い間欠受信の場合、その期間中にネットワーク側からのページング信号が到着している場合でも、Ａｃｔｉｖｅ  Ｔｉｍｅになるまで、無線端末がページング信号を受信できないという課題があった。
【０００７】
そこで、本発明は上記課題に鑑みて発明されたものであって、ネットワーク側からの信号を迅速に受信しながら、無線端末の省電力を実現することができる無線端末を提供することにある。
【課題を解決するための手段】
【０００８】
本発明は、データの送受信を行う通信処理手段と、前記通信処理手段が第１の周期よりも長い周期の第２の周期の間欠受信の動作中、前記第２の周期の非受信期間の所定のタイミングで受信を開始し、任意の回数の受信を前記通信処理手段に行わせる通信制御手段とを有する無線端末である。
【０００９】
本発明は、第１の周期よりも長い周期の第２の周期の間欠受信の動作中、前記第２の周期の非受信期間の所定のタイミングで受信を開始し、任意の回数の受信を行う通信方法である。
【００１０】
本発明は、データの送受信を行う通信処理手段が第１の周期よりも長い周期の第２の周期の間欠受信の動作中、前記第２の周期の非受信期間の所定のタイミングで受信を開始し、任意の回数の受信を前記通信処理手段に行わせる通信制御処理をコンピュータに実行させるプログラムである。
【発明の効果】
【００１１】
本発明によれば、ネットワーク側からの信号を迅速に受信しながら、無線端末の省電力を実現できる。
【図面の簡単な説明】
【００１２】
【図１】図１は本発明のブロック図である。
【図２】図２は、本発明の実施の形態の無線通信システムの概略構成の例を示す図である。
【図３】図３は本実施の形態の無線通信システムにおける無線端末（ＵＥ）１のブロック図である。
【図４】図４は本実施の形態の無線基地局（ｅＮＢ）２０のブロック図である。
【図５】図５は、本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を示す図である。
【図６】図６は、ＬｏｎｇＤＲＸのＳｌｅｅｐ期間内に、任意のタイミングで、一定の周期で２回のＷａｋｅ  ｕｐを設け、ＬｏｎｇＤＲＸの１周期間隔毎に行っている場合を示す図である。
【図７】図７は、ＬｏｎｇＤＲＸのＳｌｅｅｐ期間内に、ＳｈｏｒｔＤＲＸのＷａｋｅ  ｕｐのタイミングで、一定の周期で２回のＷａｋｅ  ｕｐを設け、ＬｏｎｇＤＲＸの１周期間隔毎に行っている場合を示す図である。
【図８】図８は、ＬｏｎｇＤＲＸの中央付近のタイミングで、１回、Ｗａｋｅ  ｕｐを設けている場合を示す図である。
【図９】図９は、Ｗａｋｅ  ｕｐ後、ＬｏｎｇＤＲＸのタイミングをリセットする場合を示す図である。
【図１０】図１０は、ＬｏｎｇＤＲＸのＳｌｅｅｐ期間に行われるＷａｋｅ  ｕｐ後の動作についてのフローチャートである。
【図１１】図１１は、ＳｈｏｒｔＤＲＸ中にデータを受信して、ＬｏｎｇＤＲＸからＳｈｏｒｔＤＲＸに遷移した場合を示す図である。
【発明を実施するための形態】
【００１３】
本発明の概要を説明する。図１は本発明のブロック図である。
【００１４】
本発明は、図１に示す如く、データの送受信を行う通信処理部１と、通信処理部１が第１の周期よりも長い周期の第２の周期の間欠受信の動作中、第２の周期の非受信期間の所定のタイミングで受信を開始し、任意の回数の受信を通信処理部１に行わせる通信制御部２とを有する無線端末である。
【００１５】
別の言い方をすると、本発明は、データを受信することができる期間（例えば、Ａｃｔｉｖｅ  Ｔｉｍｅ）と期間とが長い第２の周期で、無線端末が間欠受信の動作しているとき（例えば、ＬｏｎｇＤＲＸの動作中）、その非受信期間の所定のタイミングで、第２の周期よりも短い周期で、一定期間、受信動作を行うものである。
【００１６】
ここで、第１の周期の代表的なものとして、ＳｈｏｒｔＤＲＸがあり、第２の周期の代表的なものとして、ＬｏｎｇＤＲＸがある。
【００１７】
また、第２の周期の非受信期間の所定のタイミングとは、任意のタイミングでも、予め定められたタイミングでも良い。予め定められたタイミングの例としては、同期している第１の周期のタイミングや、タイミングの前後で第２の周期の非受信期間が一定になるタイミング（例えば、第２の周期の非受信期間の中央付近のタイミング）などがある。
【００１８】
また、第２の周期の非受信期間の受信動作の回数（アクティブにする回数）であるが、第２の周期の非受信期間に一度だけ受信動作を行わせてもよいし、複数回行ってもよい。但し、複数回行う場合は、第２の周期よりも短い周期で受信動作を行う。更に、複数回行う場合は、その受信動作の前後で、上述したように、第２の周期の非受信期間が一定になることが好ましく、例えば、タイミングの前後で第２の周期の非受信期間中に２回の受信動作を行う場合、第２の周期の非受信期間の３分の１、３分の２付近のタイミングでアクティブになるような周期の受信動作を行う。
【００１９】
更に、第２の周期の非受信期間の受信動作であるが、第２の周期における１周期の非受信期間だけ受信動作を行っても良いし、また、第２の周期の非受信期間の一定間隔毎に受信動作を行っても良い。
【００２０】
また、第２の周期の非受信期間の受信動作後であるが、第２の周期のタイミングを維持しつつ間欠受信の動作を行ってもよいし、第２の周期のタイミングをリセットし、新たなタイミングで第２の周期の間欠受信の動作を行ってもよい。更に、第２の周期の非受信期間の受信動作中にデータを受信した場合、その後、周期の短い第１の周期に遷移して間欠受信の動作を行ってもよい。
【００２１】
更に、第２の周期の非受信期間の受信動作を行うか否かの判断にあたって、過去の受信データの実績（例えば、データ量や、直近のデータ受信の有無）を考慮し、第２の周期の非受信期間の受信動作を行うか否かを判断しても良い。
【００２２】
本発明によれば、ネットワーク側からのページング信号を迅速に受信しながら、無線端末の省電力を実現できる。
【００２３】
次に、本発明の実施の形態について図面を参照して詳細に説明する。なお、以下の実施の形態では無線通信システム（セルラシステム）として「３ＧＰＰ  ＬＴＥ（Ｌｏｎｇ  Ｔｅｒｍ  Ｅｖｏｌｕｔｉｏｎ）」を想定する。
【００２４】
図２は、本発明の実施の形態の無線通信システムの概略構成の例を示す図である。
【００２５】
本実施の形態の無線通信システムは、無線端末（ＵＥ：Ｕｓｅｒ  Ｅｑｕｉｐｍｅｎｔ）ＵＥ１０と、無線基地局（ｅＮＢ：ｅｖｏｌｖｅｄ  ＮｏｄｅＢ）ｅＮＢ２０とを含む。ここで、ＵＥ１０は、ｅＮＢ２０と通信を行うための接続確立（ＲＲＣ  Ｃｏｎｎｅｃｔｉｏｎ）が完了している。また、キャリアアグリゲーション（ＣＡ：Ｃａｒｒｉｅｒ  Ａｇｇｒｅｇａｔｉｏｎ）可能な構成キャリア（ＣＣ：Ｃｏｍｐｏｎｅｎｔ  Ｃａｒｒｉｅｒ）としてＣＣ１〜ＣＣ３が割り当てられ、すでにＣＣ１〜ＣＣ３で同時にデータ受信が可能な状態にあるものとする。
【００２６】
なお、ＣＣ１〜ＣＣ３は各周波数が連続でも不連続でもどちらでも良く、さらに周波数帯が同一でも異なっていても良い。さらに、ｅＮＢ２０はＵＥ１０に間欠受信（ＤＲＸ：Ｄｉｓｃｏｎｔｉｎｕｏｕｓ  Ｒｅｃｅｐｔｉｏｎ）のパラメータを通知し、ＵＥ１０は当該パラメータに従って必要な設定（例えば、ＤＲＸ関連タイマーの満了値の設定など）を行う。このとき、ＣＣ１〜ＣＣ３ではＤＲＸのパラメータは共通である。
【００２７】
図３は本実施の形態の無線通信システムにおける無線端末（ＵＥ）１０のブロック図である。
【００２８】
図３において、ＵＥ１０は、受信器１１と、送信器１２と、信号処理部１３と、通信制御部１４とから構成される。
【００２９】
受信器１１、送信器１２では、それぞれｅＮＢ２０との間で無線信号の受信・送信を行う部分である。信号処理部１３は、ある情報をｅＮＢ２０へ送信するための無線信号の生成を行ったり、受信した無線信号から元の情報の復元を行ったりする部分である。通信制御部１４は、信号処理部１３への送信信号生成や情報復元などの指示を行う部分で、ＵＥのＤＲＸ制御もこの通信制御部１４で管理される。
【００３０】
図４は本実施の形態の無線基地局（ｅＮＢ）２０のブロック図である。
【００３１】
図４において、ｅＮＢ２０は、受信器２１と、送信器２２と、信号処理部２３と、通信制御部２４と、端末管理部２５とから構成される。受信器２１、送信器２２、信号処理部２３、通信制御部２４については、基本的にＵＥ１０の場合と同様の機能を有する。また、端末管理部２５では、複数のＵＥそれぞれに対して個別に管理を行っている。
【００３２】
図５は、本実施の形態の無線通信システムにおける無線端末の間欠受信（ＤＲＸ：Ｄｉｓｃｏｎｔｉｎｕｏｕｓ  Ｒｅｃｅｐｔｉｏｎ）の動作を示す図である。
【００３３】
まず、図５に示すように、間欠受信の周期であるＤＲＸ  ｃｙｃｌｅは、下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を連続受信しなくてはいけない期間（Ｏｎ−Ｄｕｒａｔｉｏｎ）と、ＰＤＣＣＨを受信しなくてもよい期間（Ｏｐｐｏｒｔｕｎｉｔｙ  ｆｏｒ  ＤＲＸ）とから構成される。なお、前者はＷａｋｅ  ｕｐ期間、後者はＳｌｅｅｐ期間とも呼ばれる。また、後者は、ＰＤＣＣＨを受信しない期間、あるいはＰＤＣＣＨを受信してはいけない期間、であってもよい。
【００３４】
なお、データはＰＤＳＣＨ（Ｐｈｙｓｉｃａｌ  Ｄｏｗｎｌｉｎｋ  Ｓｈａｒｅｄ  Ｃｈａｎｎｅｌ）で送信され、ＰＤＣＣＨにＰＤＳＣＨのスケジューリング情報が含まれている。従って、ＰＤＣＣＨを受信してスケジューリング情報を検出後、それにより指定されたデータを受信することができる。
【００３５】
また、ＤＲＸ  ｃｙｃｌｅには、ＳｈｏｒｔＤＲＸとＬｏｎｇＤＲＸの２通りがある。ＳｈｏｒｔＤＲＸとＬｏｎｇＤＲＸは、Ｏｎ−Ｄｕｒａｔｉｏｎは同じで、Ｏｎ−Ｄｕｒａｔｉｏｎ以外のＰＤＣＣＨを受信しなくてもよい期間の長さが異なり、ＳｈｏｒｔＤＲＸの方がＯｎ−Ｄｕｒａｔｉｏｎの間隔が短く設定される。なお、ＬＴＥではＬｏｎｇＤＲＸはＳｈｏｒｔＤＲＸの整数倍という制約がある。Ｏｎ−Ｄｕｒａｔｉｏｎ、ＤＲＸ  ｃｙｃｌｅの長さは、例えば、Ｏｎ−Ｄｕｒａｔｉｏｎは、１ｍｓから２００ｍｓまでの間で十数通り設定が可能で、ＤＲＸ  ｃｙｃｌｅは、２ｍｓ（ＳｈｏｒｔＤＲＸ最小）から２５６０ｍｓ（ＬｏｎｇＤＲＸ最大）まで、ＳｈｏｒｔＤＲＸとＬｏｎｇＤＲＸでそれぞれ十数通りの設定が可能である。
【００３６】
このように、ＤＲＸにはＳｈｏｒｔＤＲＸとＬｏｎｇＤＲＸと呼ばれる２つのＤＲＸ状態がある。そして、ＳｈｏｒｔＤＲＸは本発明における第１の周期に対応し、ＬｏｎｇＤＲＸが本発明における第２の周期に対応する。
【００３７】
基本的に、まずＳｈｏｒｔＤＲＸからスタートし、一定期間、データの受信がなければ、ＬｏｎｇＤＲＸへと遷移する。
【００３８】
次に、本実施の形態では、通信制御部１４が、ＬｏｎｇＤＲＸのＳｌｅｅｐ期間の所定のタイミングで、ＬｏｎｇＤＲＸの周期よりも短い周期で、Ｗａｋｅ  ｕｐ期間を設けるように制御する。尚、本例では、キャリアアグリゲーション（ＣＡ：Ｃａｒｒｉｅｒ  Ａｇｇｒｅｇａｔｉｏｎ）の例を説明しているが、各ＣＣ１〜ＣＣ３について同様な処理が可能なため、以下の説明ではＣＣ１に着目して説明する。
【００３９】
まず、通信制御部１４が、ＬｏｎｇＤＲＸのＳｌｅｅｐ期間中に、Ｗａｋｅ  ｕｐさせるタイミングと、その回数であるが、以下の制御が考えられる。
【００４０】
（１）ＬｏｎｇＤＲＸのＳｌｅｅｐ期間中に、ランダムで、Ｗａｋｅ  ｕｐするように制御する
まず、ＬｏｎｇＤＲＸのＳｌｅｅｐ期間内に、ランダムのタイミングで、Ｗａｋｅ  ｕｐするように制御する方法がある。また、Ｗａｋｅ  ｕｐの回数であるが、ＬｏｎｇＤＲＸのＳｌｅｅｐ期間内に１回でも、また、所定の周期で複数回行ってもよい。図６は、ＬｏｎｇＤＲＸのＳｌｅｅｐ期間内に、任意のタイミングで、一定の周期で２回のＷａｋｅ  ｕｐを設け、この動作を、ＬｏｎｇＤＲＸの１周期間隔毎に行っている場合を示している。
【００４１】
（２）ＬｏｎｇＤＲＸのＳｌｅｅｐ期間内に、予め定められたタイミングで、Ｗａｋｅ  ｕｐするように制御する方法
タイミングを、ＳｈｏｒｔＤＲＸのＷａｋｅ  ｕｐと一致させて制御する方法が考えられる。図７は、ＬｏｎｇＤＲＸのＳｌｅｅｐ期間内に、ＳｈｏｒｔＤＲＸのＷａｋｅ  ｕｐのタイミングで、一定の周期で２回のＷａｋｅ  ｕｐを設け、この動作を、ＬｏｎｇＤＲＸの１周期間隔毎に行っている場合を示している。
【００４２】
（３）Ｗａｋｅ  ｕｐの前後でＬｏｎｇＤＲＸのＳｌｅｅｐ期間が一定になるタイミングで、Ｗａｋｅ  ｕｐするように制御する方法
Ｗａｋｅ  ｕｐの前後でＬｏｎｇＤＲＸのＳｌｅｅｐ期間が一定になるタイミングで、Ｗａｋｅ  ｕｐするように制御する。図８は、ＬｏｎｇＤＲＸサイクルの中央付近のタイミングで、１回、Ｗａｋｅ  ｕｐを設けている例であり、Ｗａｋｅ  ｕｐ期間の前後で、ＬｏｎｇＤＲＸのＳｌｅｅｐ期間が一定になる場合を示している。
【００４３】
上記のタイミングの動作は、かならずしも一つだけでなく、これらの方法を組合せて制御しても良い。
【００４４】
続いて、ＬｏｎｇＤＲＸのＳｌｅｅｐ期間に行われるＷａｋｅ  ｕｐ後の動作の制御について、説明する。
【００４５】
ＬｏｎｇＤＲＸのＳｌｅｅｐ期間に行われるＷａｋｅ  ｕｐ後の動作であるが、（１）Ｗａｋｅ  ｕｐ後も、ＬｏｎｇＤＲＸのタイミング及び周期を保ちながら、ＬｏｎｇＤＲＸを続ける、（２）Ｗａｋｅ  ｕｐ後、ＬｏｎｇＤＲＸのタイミングをリセットし、ＬｏｎｇＤＲＸの周期で、ＬｏｎｇＤＲＸを続ける等の方法がある。図９は、Ｗａｋｅ  ｕｐ後、ＬｏｎｇＤＲＸのタイミングをリセットし、ＬｏｎｇＤＲＸの周期で、ＬｏｎｇＤＲＸを続ける場合を示している。
【００４６】
更に、ＬｏｎｇＤＲＸのＳｌｅｅｐ期間に行われるＷａｋｅ  ｕｐ中に、データを受信したか否かによって、その後の動作を決定してもよい。
【００４７】
図１０は、上述した、ＬｏｎｇＤＲＸのＳｌｅｅｐ期間に行われるＷａｋｅ  ｕｐ後の動作についてのフローチャートである。
【００４８】
まず、ＬｏｎｇＤＲＸのＳｌｅｅｐ期間中に、ＳｈｏｒｔＤＲＸを動作させる。このＳｈｏｒｔＤＲＸ中に、データを受信したかを判断する。データを受信した場合には、ＬｏｎｇＤＲＸからＳｈｏｒｔＤＲＸに遷移する。一方、データを受信しない場合には、旧ＬｏｎｇＤＲＸ、又は、新ＬｏｎｇＤＲＸのタイミングで、ＬｏｎｇＤＲＸの動作を続ける。
【００４９】
ここで、図１１は、ＬｏｎｇＤＲＸのＳｌｅｅｐ期間中に、ＳｈｏｒｔＤＲＸを動作させ、このＳｈｏｒｔＤＲＸ中に、データを受信して、ＬｏｎｇＤＲＸからＳｈｏｒｔＤＲＸに遷移した場合を示す図である。
【００５０】
ＬｏｎｇＤＲＸのＳｌｅｅｐ期間に行われるＷａｋｅ  ｕｐさせるか否かの判断にあたって、過去の受信データの実績（例えば、データ量や、直近のデータ受信の有無）を考慮しても良い。例えば、ＬｏｎｇＤＲＸに遷移する前のＳｈｏｒｔＤＲＸのときのデータ受信量が所定の閾値を超えている場合には、ＬｏｎｇＤＲＸのＳｌｅｅｐ期間にＷａｋｅ  ｕｐさせる。また、ＬｏｎｇＤＲＸに遷移する前の直近の数周期のＳｈｏｒｔＤＲＸ時にデータを受信した場合は、ＬｏｎｇＤＲＸのＳｌｅｅｐ期間にＷａｋｅ  ｕｐさせる。
【００５１】
このような場合は、ＬｏｎｇＤＲＸの期間において、データが送信される可能性が高く、ＬｏｎｇＤＲＸのＳｌｅｅｐ期間にＷａｋｅ  ｕｐさせることにより、ネットワーク側からの信号を迅速に受信しながら、無線端末の省電力を実現できる。
【００５２】
尚、上述した実施の形態では、各部をハードウェアで構成したが、上述した動作の処理を情報処理装置（ＣＰＵ）に行わせるプログラムによっても構成できる。
【００５３】
以上好ましい実施の形態をあげて本発明を説明したが、本発明は必ずしも上記実施の形態に限定されるものではなく、その技術的思想の範囲内において様々に変形し実施することが出来る。
【符号の説明】
【００５４】
１      通信処理部
２      通信制御部
１０    ＵＥ
２０    ｅＮＢ
１１    受信器
１２    送信器
１３    信号処理部
１４    通信制御部
２１    受信器
２２    送信器
２３    信号処理部
２４    通信制御部
２５    端末管理部
【図１】
2018110275.tif 000003
【図２】
2018110275.tif 000004
【図３】
2018110275.tif 000005
【図４】
2018110275.tif 000006
【図５】
2018110275.tif 000007
【図６】
2018110275.tif 000008
【図７】
2018110275.tif 000009
【図８】
2018110275.tif 000010
【図９】
2018110275.tif 000011
【図１０】
2018110275.tif 000012
【図１１】
2018110275.tif 000013